(57)【特許請求の範囲】
【請求項１】
複数の遊技機の各々に対応して並列配置された複数の第１付帯装置と、
前記複数の第１付帯装置と遊技客通路を挟んで対向するとともに複数の遊技機の各々に対応して並列配置された複数の第２付帯装置と、を含み、
前記各第１付帯装置には、検知光を発するための第１発光手段と、検知光及び遠隔操作装置から発せられる操作光を受けるための第１受光手段と、が設けられ、
前記各第２付帯装置には、前記第１発光手段が発する検知光及び遠隔操作装置から発せられる操作光を受けるための第２受光手段と、前記第１受光手段に検知光を受けさせるための第２発光手段と、が設けられ、
検知モードにおいて、前記第１受光手段及び／又は前記第２受光手段が受ける検知光が、前記遊技客通路における状況変化によって遮断されたときに、当該検知光の遮断を報知するための報知手段が作動するように構成され、
遠隔モードにおいて、前記第１受光手段が受けた操作光により前記第１付帯装置が遠隔操作されるように、かつ、前記第２受光手段が受けた操作光により前記第２付帯装置が遠隔操作されるように構成されている
ことを特徴とする遊技場のセキュリティシステム。
【請求項２】
前記遊技機がパチンコ遊技機を含むことを特徴とする請求項１に記載した遊技場のセキュリティシステム。
【請求項３】
前記各第１付帯装置が隣接遊技機間に配される第１台間玉貸機を含み、かつ、
前記各第２付帯装置が隣接遊技機間に配される第２台間玉貸機を含むことを特徴とする請求項２に記載した遊技場のセキュリティシステム。
【請求項４】
複数の遊技機の各々に対応して並列配置された複数の第１付帯装置と、
前記複数の第１付帯装置と遊技客通路を挟んで対向する複数の遊技機の各々に対応して並列配置された複数の第２付帯装置と、
検知光を発するために前記複数の第１付帯装置のうち少なくとも１個に設けられた発光手段と、
前記検知光を受けるために前記複数の第２付帯装置のうち少なくとも１個に設けられた受光手段と、が設けられ、
検知モードにおいて、前記受光手段が受ける検知光が、前記遊技客通路における状況変化によって遮断されたときに、当該検知光の遮断を報知するための報知手段が作動するように構成され、
遠隔モードにおいて、前記受光手段が受けた操作光により前記第１付帯装置が遠隔操作されるように構成されている
ことを特徴とする遊技場のセキュリティシステム。
【請求項５】
複数の遊技機の各々に対応して並列配置された複数の付帯装置と、
前記複数の付帯装置のうち少なくとも１個に設けられた受光手段と、
前記受光手段に受けさせるための検知光を発するために、前記複数の付帯装置と遊技客通路を挟んで対向する位置に配された発光手段と、を含み、
検知モードにおいて、前記受光手段が受ける検知光が、前記遊技客通路における状況変化によって遮断されたときに、当該検知光の遮断を報知するための報知手段が作動するように構成され、
遠隔モードにおいて、前記受光手段が受けた操作光により前記付帯装置が遠隔操作されるように構成されている
ことを特徴とする遊技場のセキュリティシステム。
【発明の詳細な説明】
【０００１】
【発明の属する技術分野】
この発明は、パチンコやスロットマシン等の遊技機が設置された遊技場におけるセキュリティシステムに関するものである。
【０００２】
【従来の技術】
これまでに知られている遊技場におけるセキュリティシステムとして、遊技場のたとえば出入口や窓等に設けられた各種のセキュリティシステムがあり、その中には並列配置された遊技機群と他の遊技機群との間の遊技客通路用に設置されるものもある。これらのセキュリティシステムは、人の出入や火災などの状況変化を検知手段が検知したときに報知手段を作動させるようになっている。これらの遊技機群を構成する各遊技機には、遊技客の便宜を図るための玉貸機や両替機或いは呼出ランプ等の付帯設備が設けられていることが多いが、この付帯設備をセキュリティシステムの一部として活用する発想はなかった。
【０００３】
【発明が解決しようとする課題】
発明者は、上記した付帯設備が遊技客通路を挟んで両側に対向配置されている点に着目し、この対向関係を利用してセキュリティシステムを構築すれば、その遊技客通路のために特別な装置を設置することなく夜間等の人の出入を的確に監視できるのではないかと考えた。本発明はそのような観点からなされたものである。
【０００４】
【課題を解決するための手段】
上記課題を解決するために本発明は、次に述べる構成を備えている。なお、何れかの請求項の発明の説明において行う用語の定義等は、その性質上可能な範囲において他の請求項の発明にも適用されるものとする。
【０００５】
（請求項１に記載した発明の構成）
請求項１に記載した発明に係る遊技場のセキュリティシステム（以下、「請求項１のシステム」という）は、複数の遊技機の各々に対応して並列配置された複数の第１付帯装置と、前記複数の第１付帯装置と遊技客通路を挟んで対向するとともに複数の遊技機の各々に対応して並列配置された複数の第２付帯装置と、を含み、前記各第１付帯装置には、検知光を発するための第１発光手段と、検知光及び遠隔操作装置から発せられる操作光を受けるための第１受光手段と、が設けられ、前記各第２付帯装置には、前記第１発光手段が発する検知光及び遠隔操作装置から発せられる操作光を受けるための第２受光手段と、前記第１受光手段に検知光を受けさせるための第２発光手段と、が設けられ、検知モードにおいて、前記第１受光手段及び／又は前記第２受光手段が受ける検知光が、前記遊技客通路における状況変化によって遮断されたときに、当該検知光の遮断を報知するための報知手段が作動するように構成され、遠隔モードにおいて、前記第１受光手段が受けた操作光により前記第１付帯装置が遠隔操作されるように、かつ、前記第２受光手段が受けた操作光により前記第２付帯装置が遠隔操作されるように構成されていることを特徴とする。
【０００６】
（請求項１に記載した発明の作用効果）
請求項１のシステムを使用によれば、検知モードにおいて第１発光手段及び第２発光手段が発する検知光を第１受光手段が受けているときは、この検知光が遮断されていないので報知手段は動作しない。正常な状態であれば起こり得ない検知光の遮断があったとき、すなわち、第１受光手段及び／又は第２受光手段が受ける検知光が遮断されたときに、報知手段が作動して遊技客通路において状況変化があったことを報知する。他方、遠隔モードにおいて、第１受光手段及び第２受光手段が受けた操作光により、第１の付帯装置及び第２の付帯装置が遠隔操作される。このように１個の第１受光手段（第２受光手段）が検知光と操作光とを受ける機能を兼ね備えているので、検知光用の受光手段と操作光用の受光手段とを別々に備える必要がなくなる。
【０００７】
（請求項２に記載した発明の構成）
請求項２に記載した発明に係る遊技場のセキュリティシステム（以下、「請求項２のシステム」という）は、請求項１のシステムの構成に限定が加わり、前記遊技機がパチンコ遊技機を含むことを特徴とする。「パチンコ機を含む」であるから、遊技機全部がパチンコ機であってもよいし、パチンコ機と他の遊技機とが混在していてもよい。
【０００８】
（請求項２に記載した発明の作用効果）
請求項２のシステムによれば、遊技機の一部又は全部がパチンコ機に限定される以外は、請求項１のシステムの作用効果と基本的に同じ作用効果を生じる。
【０００９】
（請求項３に記載した発明の構成）
請求項３に記載した発明に係る遊技場のセキュリティシステム（以下、「請求項３のシステム」という）は、請求項２のシステムの構成に限定が加わり、前記各第１付帯装置が隣接遊技機間に配される第１台間玉貸機を含み、かつ、前記各第２付帯装置が隣接遊技機間に配される第２台間玉貸機を含むことを特徴とする。
【００１０】
（請求項３に記載した発明の作用効果）
請求項３のシステムによれば、第１付帯装置と第２付帯装置とが台間玉貸機である点を除き、請求項２のシステムの作用効果と同様な作用効果が生じる。
【００１１】
（請求項４に記載した発明の構成）
請求項４に記載した発明に係る遊技場のセキュリティシステム（以下、「請求項４のシステム」という）は、複数の遊技機の各々に対応して並列配置された複数の第１付帯装置と、前記複数の第１付帯装置と遊技客通路を挟んで対向する複数の遊技機の各々に対応して並列配置された複数の第２付帯装置と、検知光を発するために前記複数の第１付帯装置のうち少なくとも１個に設けられた発光手段と、前記検知光を受けるために前記複数の第２付帯装置のうち少なくとも１個に設けられた受光手段と、が設けられ、検知モードにおいて、前記受光手段が受ける検知光が、前記遊技客通路における状況変化によって遮断されたときに、当該検知光の遮断を報知するための報知手段が作動するように構成され、遠隔モードにおいて、前記受光手段が受けた操作光により前記第１付帯装置が遠隔操作されるように構成されていることを特徴とする。
【００１２】
（請求項４に記載した発明の作用効果）
請求項４のシステムを使用によれば、検知モードにおいて、第１付帯装置の発光手段が発する検知光が第２付帯装置の受光手段が受けているときは、この検知光が遮断されていないので報知手段は動作しない。正常な状態であれば起こり得ない検知光の遮断があったときに、報知手段が作動して遊技客通路において状況変化があったことを報知する。他方、遠隔モードにおいて、受光手段が受けた操作光により、第１の付帯装置が遠隔操作される。このように１個の受光手段が検知光と操作光とを受ける機能を兼ね備えているので、検知光用の受光手段と操作光用の受光手段とを別々に備える必要がなくなる。
【００１３】
（請求項５に記載した発明の構成）
請求項５に記載した発明に係る遊技場のセキュリティシステム（以下、「請求項５のシステム」という）は、複数の遊技機の各々に対応して並列配置された複数の付帯装置と、前記複数の付帯装置のうち少なくとも１個に設けられた受光手段と、前記受光手段に受けさせるための検知光を発するために、前記複数の付帯装置と遊技客通路を挟んで対向する位置に配された発光手段と、を含み、検知モードにおいて、前記受光手段が受ける検知光が、前記遊技客通路における状況変化によって遮断されたときに、当該検知光の遮断を報知するための報知手段が作動するように構成され、遠隔モードにおいて、前記受光手段が受けた操作光により前記付帯装置が遠隔操作されるように構成されていることを特徴とする。発光手段は、付帯装置と遊技客通路を挟んで対向する位置であって、この遊技客通路の状況変化を検知させ得る位置であればどこでもよい。その位置に、たとえば、他の付帯装置が存在するのであればその付帯装置に設けることができるし、他の付帯装置が存在せずに壁が存在するだけであればその壁に設けることができる。
【００１４】
（請求項５に記載した発明の作用効果）
請求項５のシステムを使用によれば、検知モードにおいて、発光手段が発する検知光が付帯装置の受光手段が受けているときは、この検知光が遮断されていないので報知手段は動作しない。正常な状態であれば起こり得ない検知光の遮断があったときに、報知手段が作動して遊技客通路において状況変化があったことを報知する。他方、遠隔モードにおいて、受光手段が受けた操作光により、付帯装置が遠隔操作される。このように１個の受光手段が検知光と操作光とを受ける機能を兼ね備えているので、検知光用の受光手段と操作光用の受光手段とを別々に備える必要がなくなる。
【００１５】
【発明の実施の形態】
次に、各図を参照しながら、本発明の実施の形態（以下、「本実施形態」という）について説明する。図１はパチンコ遊技場に並列配置されたパチンコ機と付帯装置の様子を示す平面図であり、図２はパチンコ遊技機と台間玉貸機の正面図である。図３は台間玉貸機の電気的構成図であり、図４及び６は本実施形態の変形例を示す平面図である。なお、本明細書においては、付帯装置、発光手段、受光手段等について「第１」「第２」と記載して区別しているが、これは、次に述べる遊技客通路７を挟んで対向する一方と他方とを混同しないようにするために便宜上記載したものであってこれら付帯装置等を何ら限定するものではない。さらに、本実施形態では、遊技機の代表例としてパチンコ機を採用したが、スロットマシン等の遊技機を採用してもよい。
【００１６】
（遊技場の内部構成）
図１を参照しながら、パチンコ遊技場１の内部構成について説明する。パチンコ遊技場１内は、複数のパチンコ機１１，１１，...が並列配置された島３と、同じく複数のパチンコ機２１，２１，...が並列配置された島５と、島３と島５との間に形成された遊技場の従業員や遊技客等が通行するための遊技客通路７とを備えている。これに加え、図１には示していないが島３の各パチンコ機１１の裏側と島５の各パチンコ機２１の裏側にも、それぞれ複数のパチンコ機が並列配置されている。また、隣接するパチンコ機１１，１１間には各パチンコ機１１に対応する台間玉貸機（第１付帯装置）１２が取り付けられ、これにより、複数の台間玉貸機１２，１２，...が島３内に並列配置されている。これと同様に、複数の台間玉貸機（第２付帯装置）２２が島５内に並列配置され、これにより、台間玉貸機１２，１２，...と台間玉貸機２２，２２，...とが、遊技客通路７を挟んで対向するようになっている。各台間玉貸機１２はこれに対応するパチンコ機１１の左側に位置し、さらに、台間玉貸機２２もこれに対応するパチンコ機２１の左側に位置しているため、各台間玉貸機１２と各台間玉貸機２２とは、台間玉貸機１台分の幅だけ図１の横方向にずれた状態で対向するように配されている。符号９が示すのは、各パチンコ機１１，２１の各々に対応して設置された遊技客用椅子である。
【００１７】
（台間玉貸機の構成）
図２に基づいて、台間玉貸機１２の構成について説明する。台間玉貸機２２はこの台間玉貸機１２と同じ構成であるから重複を避けるためにその説明を省略する。台間玉貸機１２は、前面パネル１３とこの前面パネル１３の背面に設けられた枠体１４とを備え、前面パネル１３は遊技状態等を表示するための表示部１５と後述する赤外線送受信口１６とを備えている。表示部１５は、これが表示しようとする遊技状態等を他の装置に表示させるようにした場合や、遊技場対等を表示する必要がないと判断した場合等においては、これを省略してもよい。符号１７は硬貨投入口を、符号１８は硬貨返却口を、また、符号１９はパチンコ機１１の受け皿２５にパチンコ玉を投入するための排出ノズルを、それぞれ示している。台間玉貸機１２，２２は、パチンコ機１１，２２に隣接設置するように構成されているが、これらをパチンコ機１１，２２に組み込み可能に構成してもよい。
【００１８】
（台間玉貸機の電気的構成）
図３を参照しながら、台間玉貸機１２の構成について説明する。前面パネル１３に設けられた赤外線送受信口１６は、光が通過し得る合成樹脂により閉鎖されていて、後述するように赤外線を送受するための窓口として機能するようになっている。前面パネル１３背面の枠体１４内には、電気基板３２上に取り付けられた受光デバイス（第１受光手段）３１と発光デバイス（第１発光手段）４１とが収められている。受光デバイス３１は、光（本実施形態では赤外線）を受けると電流が発生するようになっており、この電流を受けて遠隔制御部３３又は検知制御部３４が動作するようになっている。発光デバイス４１は、ホールコンピュータ５１からの指令に基づいて検知光（後述する）を発光するためのデバイスであり、発光制御部４２により制御されるようになっている。これら受光デバイス３１と遠隔制御部３３と検知制御部３４とにより本実施形態における第１受光部３５が構成されている。また、発光デバイス４１と発光制御部４２とにより本実施形態における第１発光部４３が構成されている。
【００１９】
台間玉貸機１２は、遠隔モードと検知モードに設定されるようになっており、遠隔モードに設定された場合は、パチンコ遊技場の従業員等が操作する遠隔操作装置（図示せず）から発せられる赤外線信号（操作光）を受け、これに基づいて制御されるようになっている。すなわち、遠隔操作装置から発せられた操作光を受けた受光デバイス３１は遠隔制御部３３に電気信号を送り、この電気信号を受けた遠隔制御部３３は、この電気信号に基づき、たとえば、パチンコ玉の貸出の開始や停止、表示部１５の表示の開始や停止等を台間玉貸機１２に行わせるようになっている。遠隔モードから検知モードへの設定切替は、たとえば、帰宅する最後の従業員がパチンコ遊技場１の警備スイッチを入れることにより、これと連動してホールコンピュータ５１が行うようにするとよい。
【００２０】
他方、検知モードに設定された際の台間玉貸機１２は、遠隔操作装置による制御は不能となり、かつ、玉貸機能も停止される。検知モードにおいては、受光デバイス３１は検知光を受けている状態が正常状態であり、受けている検知光が遮断されたときに異常状態であると判断し、これに基づいて検知制御部３４が作動するようになっている。この検知光は、対向する台間玉貸機２２内に設けられた発光デバイス（図示を省略）から発せられた光の場合もあるし、台間玉貸機２２に向かって台間玉貸機１２の発光デバイスから発せられた光の場合もある。さらに、台間玉貸機２２と台間玉貸機１２の両者の発光デバイスから発せられた光の場合もある。すなわち、台間玉貸機１２と台間玉貸機２２とは、図１に矢印で示すように、互い違いに遊技客通路７を横切って検知光をやり取りするようになっており、何れかの箇所でこの検知光が遮断されたときに、たとえば、侵入者がこの遊技客通路７に進入したときに検知制御部３４は異常状態が発生したことを検知し、その旨をホールコンピュータ（報知手段）５１に伝えるようになっている。異常状態発生が伝えられたホールコンピュータ５１は、警備会社や従業員の自宅等に通信回線を通じてその旨を連絡するとともに、異常状態発生の時刻や連絡経緯等を自己の持つメモリに記録するようになっている。なお、検知モードから遠隔モードへの設定切替は、先に述べた遠隔モードから検知モードへの切替と逆の手順で行うようにするとよい。すなわち、先の例で言えば、最初に出勤した従業員がパチンコ遊技場１の警備スイッチを切ることにより、これと連動してホールコンピュータ５１が行うようにするとよい。
【００２１】
（本実施形態の第１変形例）
図４に基づいて、第１付帯装置（第２付帯装置）の変形例を説明する。上述した本実施形態における第１付帯装置（第２付帯装置）は、台間玉貸機に組み込まれたり、パチンコ遊技機に台間玉貸機の機能とともに組み込まれたりしたが、第１変形例においては、第１付帯装置（第２付帯装置）が台間玉貸機やパチンコ機から独立して設置されている。すなわち、図４においてパチンコ機１１（２１）に隣接された台間玉貸機６１は、本実施形態の台間玉貸機１２（２２）と基本的に同じ構造と機能を備えているが、付帯装置としての機能を備えていない。したがって、台間玉貸機６１は、台間玉貸機１２（２２）が備えていた赤外線送受信口を有しない。これと同様に受光部及び発光部を備えていない。これらは、次に述べる台間情報表示端末６３に組み込まれている。
【００２２】
すなわち、台間情報表示端末６３は、その前面パネル６４に赤外線送受信口６５及び図示は省略するが内部に受光部或いは発光部を備えており、付帯装置として機能するように構成されている。この形式の台間情報表示端末は、これを新設時から設置することもできるが、既に台間玉貸機６１が設置されている場合に、情報表示の機能を後発的に付加しようとする際に特に便利である。
【００２３】
（本実施形態の第２変形例）
上述したように、本実施形態では遊技客通路７を挟んで対向するすべての台間玉貸機１２，２２が第１受光手段及び第１発光手段を備えているが、図５に示すように、少なくとも１台の台間玉貸機１２にだけ発光手段を設けるとともに、これと対向する少なくとも１台の台間玉貸機２２にだけ上記発光手段が発する検知光を受けるための受光手段をもうけるようにしてもよい。また、第１（第２）付帯装置として台間玉貸機の代わりに呼出ランプを用いてもよい。
【００２４】
（本実施形態の第３変形例）
さらに、図６に示すように、本実施形態における島５の代わりに壁５１が存在する場合は、この壁５１に検知光を発するための発光装置（発光手段）５３を設けるようにしてもよい。発光装置５３は、少なくとも１個あれば足りるが、これを複数個としてもよいことはいうまでもない。
【００２５】
【発明の効果】
本発明によれば、遊技機の付帯設備の対向配置関係を利用してセキュリティシステムを構築できるのでその遊技客通路のために特別な装置を設置することなく夜間等の人の出入を的確に監視できる。
【図面の簡単な説明】
【図１】  パチンコ遊技場に並列配置されたパチンコ機と付帯装置の様子を示す平面図である。
【図２】  パチンコ遊技機と台間玉貸機の正面図である。
【図３】  台間玉貸機の電気的構成図である。
【図４】  本実施形態の第１変形例を示す平面図である。
【図５】  本実施形態の第２変形例を示す平面図である。
【図６】  本実施形態の第２変形例を示す平面図である。
【符号の説明】
１      パチンコ遊技場
３      島
５      島
７      遊技客通路
１１      パチンコ機
１２      台間玉貸機（第１付帯装置）
２１      パチンコ機
２２      台間玉貸機（第２付帯装置）
３５      受光手段（第１，２受光手段）
４３      発光手段（第１，２発光手段）
５１      ホールコンピュータ（報知手段）
【図１】
0003738962.tif 000002
【図２】
0003738962.tif 000003
【図３】
0003738962.tif 000004
【図４】
0003738962.tif 000005
【図５】
0003738962.tif 000006
【図６】
0003738962.tif 000007